(57)【要約】【課題】鏡が汚れることを防止すると同時に、使用時の動作の妨げにならない化粧料容器を提供すること。【解決手段】化粧料Ｐを収納する化粧料収納部21を有する容器本体20と、容器本体20を覆い裏面に鏡11を有する上蓋10と、容器本体20と上蓋10との間に介在する可撓性でシート状の遮蔽部材23と、を有するコンパクト容器１において、容器本体20は、化粧料Ｐを取得する化粧具Ｓが載置される化粧具収納部22を有し、遮蔽部材23は、化粧料収納部21と化粧具収納部22との間に配設される壁面20ａに固定配設され、遮蔽部材23が固定配設される側と反対側の遮蔽部材23の先端部23ａは、化粧具収納部22の内部に形成される保持突起24により保持されることを特徴とする。【選択図】  図１
2007014614.tif 000002
【特許請求の範囲】
【請求項１】
化粧料を収納する化粧料収納部を有する容器本体と、前記容器本体を覆い裏面に鏡を有する上蓋と、前記容器本体と前記上蓋との間に介在する可撓性でシート状の遮蔽部材と、を有するコンパクト容器において、
前記容器本体は、前記化粧料を取得する化粧具が載置される化粧具収納部を有し、
前記遮蔽部材は、前記化粧料収納部と前記化粧具収納部との間に配設される壁面に固定配設され、
前記遮蔽部材が固定配設される側と反対側の前記遮蔽部材の先端部は、前記化粧具収納部の内部に形成される保持手段により保持されることを特徴とするコンパクト容器。
【請求項２】
前記遮蔽部材は複数配設され、そのうちの一つが前記化粧料収納部を覆い、そのうちの一つが前記化粧具収納部を覆うことを特徴とする請求項１に記載のコンパクト容器。
【請求項３】
前記化粧料収納部には、前記化粧料を収納するための中皿が配置され、
前記遮蔽部材は、その一部が前記中皿と前記化粧料収納部底部との間に挟持されることにより固定配設されることを特徴とする請求項１又は２に記載のコンパクト容器。
【発明の詳細な説明】
【技術分野】
【０００１】
本発明は、ファンデーション、アイシャドウ等の粉末化粧料を収納するコンパクト容器に関する。
【背景技術】
【０００２】
ファンデーションやアイシャドウ等の粉末化粧料を収納するためのコンパクト容器がある。一般に、コンパクト容器は、下部の容器本体側に粉末化粧料を収納する化粧料収納部が形成されており、上蓋の裏面には鏡が配置されている。
【０００３】
このような構成のコンパクト容器において、コンパクト容器の上蓋を閉じると、上蓋に配設される鏡が化粧料収納部内の粉末化粧料に接触することがある。すると、粉末化粧料が鏡に付着し、使用時に鏡を清掃する手間がかかることになる。
【０００４】
これを防止するために、鏡汚れ防止機能を有するコンパクト容器がある（例えば、特許文献１乃至３参照）。これらのコンパクト容器においては、粉末化粧料の化粧料収納部を覆うように、プラスチック製でシート状に形成された遮蔽部材が配置されている。これによって、コンパクト容器の上蓋を閉じた状態において、化粧料収納部の粉末化粧料と上蓋裏面に形成された鏡とが遮蔽され、直接接触しないようになる。この結果、上蓋を開いた時に、鏡に粉末化粧料が付着することを防ぐことができ、鏡を清掃する手間を省くことができる。
【０００５】
【特許文献１】特開２００４−２５５０６１
【特許文献２】実開平３−２７４１１
【特許文献３】実開昭４７−２８７９９
【発明の開示】
【発明が解決しようとする課題】
【０００６】
しかしながら、上述の特許文献に代表される従来のコンパクト容器は、使用時に上蓋を開けて粉末化粧料を取る時に、遮蔽部材を容器の外部に保持しなければならない。このため、使用者の容器を持つ手の邪魔になってしまうという問題がある。
【０００７】
また、遮蔽部材をプラスチックで構成する場合、プラスチックは弾性を有し復元力がある。このため、遮蔽部材を手で保持しておかないと、遮蔽部材自身の復元力により、使用時に遮蔽部材が化粧料の化粧料収納部を覆ってしまう。これを防止するため、使用者は化粧料収納部内の化粧料を取る時に、手で遮蔽部材を保持しておかなければならず、手間がかかるといった問題があった。
【０００８】
本発明の目的は、鏡が汚れることを防止すると同時に、使用時の動作の妨げにならない化粧料容器を提供することである。
【課題を解決するための手段】
【０００９】
上記目的を達成するための本発明のコンパクト容器は次の通りである。
【００１０】
（１）化粧料を収納する化粧料収納部を有する容器本体と、前記容器本体を覆い裏面に鏡を有する上蓋と、前記容器本体と前記上蓋との間に介在する可撓性でシート状の遮蔽部材と、を有するコンパクト容器において、前記容器本体は、前記化粧料を取得する化粧具が載置される化粧具収納部を有し、前記遮蔽部材は、前記化粧料収納部と前記化粧具収納部との間に配設される壁面に固定配設され、前記遮蔽部材が固定配設される側と反対側の前記遮蔽部材の先端部は、前記化粧具収納部の内部に形成される保持手段により保持されることを特徴とするコンパクト容器。
【００１１】
（２）前記遮蔽部材は複数配設され、そのうちの一つが前記化粧料収納部を覆い、そのうちの一つが前記化粧具収納部を覆うことを特徴とする（１）に記載のコンパクト容器。
【００１２】
（３）前記化粧料収納部には、前記化粧料を収納するための中皿が配置され、前記遮蔽部材は、その一部が前記中皿と前記化粧料収納部底部との間に挟持されることにより固定配設されることを特徴とする（１）又は（２）に記載のコンパクト容器。
【発明の効果】
【００１３】
（１）の構成によれば、遮蔽部材は、容器内部に配置される保持部材により、容器内部で保持される。このため、使用時に容器を持つ手が遮蔽部材にかかることはなく、使用時の動作の妨げにならない。また、鏡と容器本体とを遮蔽する遮蔽部材が配設されることにより、鏡が汚れることを防止する。更に、もともと化粧具が載置される化粧具収納部の内部に保持手段を形成する。このため、保持手段を別個追加して配設する必要はなく、部材点数を増やすことはない。また、化粧具収納部のスペースを有効利用することができるため、容器を大型化させることはなく、容器の小型化を図ることができる。
【００１４】
（２）の構成によれば、化粧料収納部及び化粧具収納部の双方を有する構成において、その双方の上部を複数の遮蔽手段が覆うことになる。このため、上蓋の裏面に配設された鏡と、化粧料収納部内の化粧料及び化粧具収納部内の化粧具とを遮蔽手段が遮蔽する。この結果、鏡に化粧料が付着することを更に効果的に防止することができる。
【００１５】
（３）の構成によれば、遮蔽部材の一部が中皿と化粧料収納部底部との間に挟持される。これにより、より確実に遮蔽部材が容器本体に対して固定配設されることとなる。
【発明を実施するための最良の形態】
【００１６】
〔第１実施形態〕
本発明の第１実施形態について、図を用いて説明する。図１はコンパクト容器１の斜視図であり、図２はコンパクト容器１の断面図である。図２は（ａ）がコンパクト容器１を閉じた状態の説明図であり、（ｂ）がコンパクト容器１を開いた状態の説明図である。
【００１７】
説明においては、まず、コンパクト容器１の全体説明をし、その後、特徴部分である遮蔽部材について詳細に説明する。
【００１８】
（コンパクト容器１の概略構成）
図１及び図２に示すように、コンパクト容器１は、粉末化粧料Ｐを収納する容器本体20と、容器本体20の上部を覆う上蓋10とを有する。上蓋10と容器本体20とは、容器後方に配設されるヒンジ部30にて蝶着されており、容器前方に形成される係止部40にて係止状態（図２（ａ）参照）と係止解除状態（図２（ｂ）参照）の状態を取り得る。
【００１９】
上蓋10は、上蓋10裏面の全面に配設される鏡11と、上蓋10後方に配設される蝶着係合部31と、上蓋10裏面の前方に配設される係止突起41と、を有する。
【００２０】
容器本体20は、粉末化粧料Ｐを収納する化粧料収納部21と、粉末化粧料Ｐをかき取るためのスポンジ又はパフ等の化粧具Ｓを載置するための化粧具収納部22と、化粧料収納部21と化粧具収納部22の間に配置されるシート状の遮蔽部材23と、容器本体20後方に配設されピンを挿入する挿入口32と、容器本体20前方に配設される係止突起42と、を有する。
【００２１】
ヒンジ部30は、容器後方で上蓋10と容器本体20とを蝶着する部分である。ヒンジ部30は、容器本体20側のピン挿入口32から通した不図示のピンを、上蓋10側の蝶着係合部31に形成される穴（不図示）に貫通させることで構成される。ヒンジ部30にて連結されることにより、上蓋10と容器本体20とが回動自在に一体的に構成される。
【００２２】
係止部40は、上蓋10側の係止突起41と容器本体20側の係止突起42とから構成される。ヒンジ部30にて蝶着された上蓋10を容器本体20に対して閉じたとき、図２（ａ）に示すように、係止突起41が係止突起42の下に入り込み、互いに係止されることにより、上蓋10が容器本体20に対して確実に閉じることとなる。
【００２３】
（遮蔽部材23の構成）
上述のように、容器本体20の化粧料収納部21と化粧具収納部22の間の壁面20ａには、プラスチック等で可撓性のあるシート状の遮蔽部材23の一端が固定配設されている。これについて詳細に説明する。
【００２４】
遮蔽部材23は、プラスチック等の可撓性部材から構成される。また、遮蔽部材23は粉末化粧料Ｐの残量等を視認できるように、透明又は半透明な部材が好ましい。
【００２５】
遮蔽部材23は、シート状で、ちょうど化粧料収納部21の上部全体を覆う程度の大きさで構成されている。また遮蔽部材23は、図２（ａ）に示すように、何も力が働かない状態において、化粧料収納部21の上部を覆うようにクセがついている。即ち、遮蔽部材23は、自然に化粧料収納部21の上部を覆う方向に復元力が働くように構成されている。
【００２６】
この構成により、例えば、粉末化粧料Ｐの非使用時において、上蓋10が閉じた状態においては、化粧料収納部21内の粉末化粧料Ｐの上部は遮蔽部材23によって覆われることとなる。このように、遮蔽部材23が鏡11と粉末化粧料Ｐとの間に介在することで、粉末化粧料Ｐが上蓋10の鏡11と直接接触することを防止する。
【００２７】
粉末化粧料Ｐの使用時には、図１及び図２（ｂ）に示すような状態となる。即ち、使用者はまず、係止部40における係止を外し、上蓋10を開け、化粧具Ｓを化粧具収納部22から取り出す。次に、化粧具Ｓにて粉末化粧料Ｐを取るため、遮蔽部材23を開ける。
【００２８】
ここで遮蔽部材23は、前述したクセがあることによって、化粧料収納部21を覆う方向に戻ろうとする。この遮蔽部材23の動作を防止するために、本実施形態においては、化粧具収納部22の内部で、かつ化粧料収納部21から遠い位置に、遮蔽部材23の先端部23ａを保持するための保持突起（保持手段）24が形成されている（図２（ｂ）参照）。
【００２９】
本実施形態はこのような構成により、粉末化粧料Ｐの使用時において、使用者は、遮蔽部材23を開放し、化粧料収納部21から離間させ、更に遮蔽部材23の先端部23ａを保持突起24の下部に係止させる。すると、遮蔽部材23は化粧具収納部22側に姿勢を保持され、化粧料収納部21の上部は開放状態を保つことになる。これにより、使用者は、粉末化粧料Ｐを化粧具Ｓにて容易に掻き取ることができる。
【００３０】
また、本実施形態においては、遮蔽部材23が容器本体20内部に配設される保持突起24に保持される。すると遮蔽部材23は、保持突起24に保持された状態においても、容器本体20の外部に突出することはない。このため、使用者が使用時に、片手でコンパクト容器１を持つ場合であっても、遮蔽部材23がコンパクト容器１を持つ手の妨げになることはなく、使用者は容器本体20を把持しやすくなる。
【００３１】
〔第２実施形態〕
本発明の第２実施形態について、図を用いて説明する。図３は第２実施形態のコンパクト容器２の断面図である。図３は（ａ）がコンパクト容器２を閉じた状態の説明図であり、（ｂ）がコンパクト容器２を開いた状態の説明図である。
【００３２】
前述した実施形態と同様の構成については同符号を付し、説明を省略する。本実施形態においては、粉末化粧料Ｐを収納する中皿25が化粧料収納部21内に配設された点と、遮蔽部材26の構成が前述の実施形態と異なっている。
【００３３】
（遮蔽部材26の構成）
遮蔽部材26は、前述の実施形態と同様、１枚のシート状の透明部材で、プラスチック等の可撓性部材から構成される。
【００３４】
遮蔽部材26は、図３（ａ）に示すように、化粧料収納部21内において、化粧料収納部21の下面から上面に渡って内壁に沿うように配設される。具体的には、粉末化粧料Ｐを収納する中皿25の下面から、化粧料収納部21と化粧具収納部22とを区切る壁面20ａを沿うように通り、化粧料収納部21の上部を覆うように、配設されている。
【００３５】
遮蔽部材26は、その側面及び底面を中皿25と化粧料収納部21との間に挟持されて固定されるが、粉末化粧料Ｐを覆う上面は自由に開閉することができる。ここで、遮蔽部材26も第１実施形態の遮蔽部材23と同様、粉末化粧料Ｐを覆うようにクセがついている。
【００３６】
このように、本実施形態のような構成としても、第１実施形態と同様の効果を得ることができる。また、遮蔽部材26は中皿25の下部から上部へ回り込むように固定されるため、より確実に固定することができる。
【００３７】
〔第３実施形態〕
本発明の第３実施形態について、図を用いて説明する。図４は第３実施形態のコンパクト容器３の断面図である。図４は（ａ）がコンパクト容器３を閉じた状態の説明図であり、（ｂ）がコンパクト容器３を開いた状態の説明図である。
【００３８】
前述した実施形態と同様の構成については同符号を付し、説明を省略する。本実施形態においては、遮蔽部材23に加えて、化粧具収納部22を覆う遮蔽部材27を有する。これにより、化粧具Ｓに付着した微量の粉末化粧料Ｐが鏡11に付着することも防止するものである。
【００３９】
（遮蔽部材27の構成）
遮蔽部材27は、化粧具収納部22内の化粧具Ｓと鏡11とを遮蔽するものである。遮蔽部材27は、その形状が遮蔽部材23と同様にシート状で、プラスチック等の可撓性部材から構成される。遮蔽部材27は、遮蔽部材23と同様に、化粧料収納部21と化粧具収納部22とを区切る壁面20ａ上部に固定配置される。ここで、遮蔽部材27は、図４（ａ）に示すように、何も力が働かない状態において、化粧具収納部22の上部を覆うようにクセがついている。
【００４０】
この構成により、例えば、化粧具Ｓの非使用時において、上蓋10が閉じた状態においては、化粧具収納部22内の化粧具Ｓの上部は遮蔽部材27によって覆われることとなる。このように、遮蔽部材27が鏡11と粉末化粧料Ｐの付着した化粧具Ｓとの間に介在することで、化粧具Ｓに付着した粉末化粧料Ｐが上蓋10の鏡11と直接接触することを防止する。
【００４１】
また、遮蔽部材27は可撓性を有する。このため、使用時において化粧具Ｓを化粧具収納部22から取り外した後、図４（ｂ）に示すように、遮蔽部材23の先端部23ａが保持突起24によって保持されると、遮蔽部材27は遮蔽部材23の下に入り込んで、遮蔽部材23に当接しつつ、遮蔽部材23と同時に保持される。このため、化粧具Ｓによって粉末化粧料Ｐを取る動作の邪魔になることはない。
【００４２】
このように、本実施形態においては、遮蔽部材23により化粧料収納部21内の粉末化粧料Ｐが鏡11に付着することを防止するのみならず、遮蔽部材27により化粧具収納部22内の化粧具Ｓに付着した粉末化粧料Ｐが鏡11に付着することをも防止する。これにより、更に鏡11に粉末化粧料Ｐが付着することを防止し、使用時に鏡11を清掃する手間を省くことができる。
【産業上の利用可能性】
【００４３】
本発明は、粉末化粧料を用いたコンパクト容器に用いることができる。
【図面の簡単な説明】
【００４４】
【図１】第１実施形態のコンパクト容器１の斜視図。
【図２】第１実施形態のコンパクト容器１の断面図。
【図３】第２実施形態のコンパクト容器２の断面図。
【図４】第３実施形態のコンパクト容器３の断面図。
【符号の説明】
【００４５】
Ｐ…粉末化粧料、Ｓ…化粧具、１…コンパクト容器（第１実施形態）、２…コンパクト容器（第２実施形態）、３…コンパクト容器（第３実施形態）、10…上蓋、11…鏡、20…容器本体、20ａ…壁面、21…化粧料収納部、22…化粧具収納部、23…遮蔽部材、23ａ…先端部、24…保持突起、25…中皿、26…遮蔽部材、27…遮蔽部材、30…ヒンジ部、31…蝶着係合部、32…挿入口、40…係止部、41…係止突起、42…係止突起
【図１】
2007014614.tif 000003
【図２】
2007014614.tif 000004
【図３】
2007014614.tif 000005
【図４】
2007014614.tif 000006